(57)【要約】【課題】  本発明は、ＩＰアドレスに情報をもたせるようにユニークなＩＰアドレスを形成してＩＣセンサに登録する登録システムを提供することを目的とする。【解決手段】  登録システム２０は、ＧＰＳ１０よりＩＣセンサの設置場所の位置情報を取得するＧＰＳ受信部２０１と、ＧＰＳ受信部２０１によって取得した位置情報に基づいて所定の規則に従ってＩＰアドレスを形成するＩＰアドレス形成部２０２と、形成したＩＰアドレスをＩＣセンサに登録するＩＰアドレス登録部２０３とを備えている。【選択図】  図２
2006325187.tif 000002
【特許請求の範囲】
【請求項１】
信号の送受信用のアンテナと異常を感知するセンサとを有し、それぞれ間隔をおいて配置される複数のＩＣセンサに互いに異なるＩＰアドレスを登録するアドレスの登録システムであって、
ＩＣセンサの位置情報を取得する位置情報取得手段と、
前記位置情報取得手段により取得した位置情報を所定の規則に基づいて、ＩＰアドレスを形成するアドレス形成手段と、
前記アドレス形成手段により形成されたＩＰアドレスを前記ＩＣセンサに登録するアドレス登録手段とを備えることを特徴とするアドレスの登録システム。
【請求項２】
前記位置情報取得手段は、全地球測位システムと地理情報システムのうちの少なくとも１つであることを特徴とする請求項１記載のアドレスの登録システム。
【請求項３】
請求項１記載の登録システムにより形成されたＩＰアドレスを取得するＩＰアドレス取得手段と、
前記ＩＰアドレス取得手段により取得されたＩＰアドレスから所定の規則に基づいて前記ＩＰアドレスに対応するＩＣセンサの位置情報を取出す位置情報取得手段と、
前記位置情報取得手段により得られた前記ＩＣセンサの位置情報を外部機器に送信する送信手段とを備えることを特徴とする位置情報取得システム。
【請求項４】
信号の送受信用のアンテナと異常を感知するセンサとを有し、それぞれ間隔をおいて配
置される複数のＩＣセンサに互いに異なるＩＰアドレスを登録するアドレスの登録システムをデータ処理装置に実行させるプログラムであって、
ＩＣセンサの位置情報を取得する位置情報取得処理と、
前記位置情報取得処理により取得した位置情報を所定の規則に基づいて、ＩＰアドレスを形成するアドレス形成処理と、
前記アドレス形成処理により形成されたＩＰアドレスを前記ＩＣセンサに登録するアドレス登録処理と、
を前記データ処理装置に実行させることを特徴とするアドレスの登録プログラム。
【請求項５】
請求項４記載のアドレスの登録プログラムにより形成されたＩＰアドレスを取得するＩＰアドレス取得処理と、
前記ＩＰアドレス取得処理により取得されたＩＰアドレスから所定の規則に基づいて前記ＩＰアドレスに対応するＩＣセンサの位置情報を取出す位置情報取得処理と、
前記位置情報取得処理により得られた前記ＩＣセンサの位置情報を外部機器に送信する送信処理と、
をデータ処理装置に実行させることを特徴とする位置情報取得プログラム。
【発明の詳細な説明】
【技術分野】
【０００１】
本発明は、対象物の異常を感知し、その異常情報を送信する防犯システムに用いられる複数のセンサにＩＰアドレスを登録する登録システムに関する。
【背景技術】
【０００２】
現在様々な犯罪がおきており、盗難防止目的として自動販売機や現金預払機等の据置型機器に対して、２４時間監視する防犯装置が設けられている。この防犯装置は定期的に監視情報を管理センタに送信し、異常があった場合には管理センタに異常信号を送信する。
微弱な電波を送受信するＩＣタグと異常を感知するセンサを組み合わせて監視する装置（以下ＩＣセンサと称する）がある。
【０００３】
また、本願出願人による防犯装置は、信号の送受信用のアンテナと異常を感知するセンサとを有し、それぞれ間隔をおいて配置される複数のＩＣセンサと、複数のＩＣセンサの情報を管理する情報端末を備えている。そして、複数のＩＣセンサは、監視情報を互いに送受信するネットワークを形成している。
【特許文献１】特開２００４−２３６０４８号
【発明の開示】
【発明が解決しようとする課題】
【０００４】
上記のような複数のＩＣセンサは、それぞれ異なるＩＰアドレスが割当てられている。ＩＰアドレスを登録する場合、ＩＰアドレスが重複しないように単に数値と記号を羅列して割り当てており、ＩＰアドレスには識別番号以外の意味がなかった。そこで、本発明は、ＩＰアドレスに情報をもたせるようにユニークなＩＰアドレスを形成し、ＩＣセンサに登録するシステムを提供することを目的とする。また、登録されたＩＰアドレスからＩＣセンサの位置情報を取得するシステムを提供することを目的とする。
【課題を解決するための手段】
【０００５】
上記目的を達成するために、本発明のＩＰアドレスの登録システムは、信号の送受信用のアンテナと異常を感知するセンサとを有し、それぞれ間隔をおいて配置される複数のＩＣセンサに互いに異なるＩＰアドレスを登録するアドレスの登録システムであって、ＩＣセンサの位置情報を取得する位置情報取得手段と、この位置情報取得手段により取得した位置情報を所定の規則に基づいて、ＩＰアドレスを形成するアドレス形成手段と、このアドレス形成手段により形成されたＩＰアドレスを対応するＩＣセンサに登録するアドレス登録手段とを備える。
【０００６】
ここで、位置情報取得手段は、全地球測位システム（ＧＰＳ）と地理情報システム（ＧＩＳ）のうちの少なくとも１つであることが望ましい。
【０００７】
また、上記の登録システムに形成されたＩＰアドレスから対応するＩＣセンサの位置情報を取出す位置情報取得システムは、登録システムにより形成されたＩＰアドレスを取得するＩＰアドレス取得手段と、このＩＰアドレス取得手段により取得されたＩＰアドレスから所定の規則に基づいてＩＰアドレスに対応するＩＣセンサの位置情報を取出す位置情報取得手段と、この位置情報取得手段により得られたＩＣセンサの位置情報を外部機器に送信する送信手
段とを備える。
【０００８】
更に、信号の送受信用のアンテナと異常を感知するセンサとを有し、それぞれ間隔をおいて配置される複数のＩＣセンサに互いに異なるＩＰアドレスを登録するアドレスの登録システムをデータ処理装置に実行させるアドレスの登録プログラムは、ＩＣセンサの位置情報を取得する位置情報取得処理と、この位置情報取得処理により取得した位置情報を所定の規則に基づいて、ＩＰアドレスを形成するアドレス形成処理と、このアドレス形成処理により形成されたＩＰアドレスを対応するＩＣセンサに登録するアドレス登録処理とをデータ処理装置に実行させる。
【０００９】
上記のアドレスの登録プログラムにより形成されたＩＰアドレスから対応するＩＣセンサの位置情報を取得するプログラムは、アドレスの登録プログラムにより形成されたＩＰアドレスを取得するＩＰアドレス取得処理と、このＩＰアドレス取得処理により取得されたＩＰアドレスから所定の規則に基づいてＩＰアドレスに対応するＩＣセンサの位置情報を取出す位置情報取得処理と、位置情報取得処理により得られたＩＣセンサの位置情報を外部機器に送信する送信処理と、をデータ処理装置に実行させる。
【発明の効果】
【００１０】
本発明のＩＰアドレスの登録システムによれば、複数のＩＣセンサにそれぞれ位置情報を基に形成したユニークなＩＰアドレスが登録されるので、ＩＰアドレスに識別番号としての役割の他に位置情報を付加することができる。これにより、ＩＣセンサの識別性が高まり、ＩＣセンサが送信する情報の識別性を高めることができる。また、ＩＣセンサは間隔をおいて設置されるので、それぞれ位置情報が異なり、同一のＩＰアドレスをＩＣセンサに登録することを回避することができる。
【発明を実施するための最良の形態】
【００１１】
図１は、本発明のＩＰアドレスの登録方法を適用するＩＣセンサが配置された防犯システムの構成を示す。図１に示すように、防犯システムは、監視対象である現金自動預払機に取り付けられたＩＣセンサ３ａ、３ｂ、３ｃと、監視対象である自動販売機に取り付けられたＩＣセンサ４ａ、４ｂ、４ｃ、４ｄと、通信の中継手段として電柱に取り付けられたＩＣセンサ５a、５ｂ、５ｃ、５ｄ、５ｅ、５ｆと、ＩＣセンサから送信される情報に基づいて、現金自動預払機や自動販売機の状態を管理する監視センタのコンピュータ１とにより構成され、情報の伝達ネットワークが形成されている。
【００１２】
図２は本発明の実施の形態に係るＩＰアドレスを登録する登録システムの構成を示し、図３に登録システムの動作のフローチャートを示す。
【００１３】
登録システム２０は、ＧＰＳ１０よりＩＣセンサの設置場所の位置情報を取得するＧＰＳ受信部２０１と、ＧＰＳ受信部２０１によって取得した位置情報に基づいてＩＰアドレスを形成するＩＰアドレス形成部２０２と、形成したＩＰアドレスをＩＣセンサに登録するＩＰアドレス登録部２０３と、複数のＩＣセンサの設置場所やＩＰアドレス等を表示装置３０に表示する表示部２０４と、登録システム２０全体を制御するＣＰＵ２０５と、登録システム２０を制御するプログラムが記録されているＲＯＭ２０６とを備えていて、入力装置４０と、表示装置３０が図示しないインターフェイスを介して登録システム２０に接続されている。ここで、ＩＣセンサにＩＰアドレスを登録するとは、ＩＣセンサ内蔵のメモリにＩＰアドレスを書き込むことである。また、登録システム２０は汎用のコンピュータ等により実現することができる。
【００１４】
登録システム２０は、ＧＰＳ１０によりＩＣセンサの位置情報、例えば東経１３８°２０分３４秒北緯４５°１８分５秒、をＧＰＳ受信部２０１により取得する（図３のＳ３０１）。次に、ＩＰアドレス形成部２０２は、取得した位置情報に基づいて所定の基準に従いＩＰアドレスを形成する（図３のＳ３０２）。例えば、位置情報が東経１３８°２０分３４秒北緯４５°１８分５秒の場合、ＩＰアドレスをＴ１３８Ｍ２０Ｓ３４Ｎ４５Ｍ１８Ｓ０５と形成する。そして、この形成したＩＰアドレスをＩＰアドレス登録部２０３がＩＣセンサに登録する（図３のＳ３０３）。設置されている全てのＩＣセンサに対して、ＧＰＳにより設置場所の位置情報を取得して、固有のＩＰアドレスを形成し、登録を行う。
【００１５】
それぞれのＩＣセンサは間隔をおいて設置されていて、ＧＰＳにより得られる位置情報（経度と緯度）はそれぞれ異なるので、ＩＰアドレスもそれぞれ異なるものになり、ＩＰアドレスは識別性を有することができる。
【００１６】
位置情報に基づいて形成するＩＰアドレスを一例として上記のように東経、北緯の順序で記号と数値で表わしたが、全てのＩＣセンサに同一の基準を適用すればよく、ＩＰアドレスの形成方法は他の規則を用いて形成してもよい。
【００１７】
更に、ＧＩＳ（Geographical Information System、地理情報システム）を利用し、ＧＰＳにより得られたＩＣセンサの位置情報を用いて、ＩＣセンサの設置マップを作成してもよい。
【００１８】
上述の実施の形態では、ＩＣセンサの位置情報をＧＰＳにより取得したが、ＧＩＳを用いてＩＣセンサの設置位置の位置情報を取得し、ＩＰアドレスを形成してもよい。
【００１９】
次に、ＩＣセンサに登録したＩＰアドレスからＩＣセンサの位置情報を取得する方法について説明する。図４は位置情報取得システムの構成の概略を示すブロック図である。
【００２０】
図４に示すように、位置情報取得システム５０は、ＩＣセンサに登録したＩＰアドレスを取得するＩＰアドレス取得部５０１と、ＩＰアドレス取得部５０１により取得したＩＰアドレスから所定の規則に従って位置情報を取得する位置情報取得部５０２と、得られた位置情報をＧＰＳやＧＩＳを備えた機器に送信する送信部５０３と、位置情報取得システム５０全体を制御するＣＰＵ５０４と、位置情報取得システム５０を制御するプログラムが記録されているＲＯＭ５０５とを備えている。ここで、位置情報取得システム５０は汎用のコンピュータ等により実現することができる。
【００２１】
位置情報取得システム５０において、ＩＰアドレス取得部５０１がＩＣセンサに登録したＩＰアドレスを取得する。そして、位置情報取得部５０２は、ＩＰアドレスから所定の規則に従って位置情報を取得する。例えば、ＩＰアドレスがＴ１３８Ｍ２０Ｓ３４Ｎ４５Ｍ１８Ｓ０５の場合、東経１３８°２０分３４秒北緯４５°１８分５秒と位置情報を取得する。このようにして得られた位置情報を送信部５０３は他のＧＰＳやＧＩＳを備えた機器に提供する。このとき送信される位置情報は、送信先の位置情報のデータ形式に変換されている。
【００２２】
ここで、ＩＰアドレス取得部５０１は、ＩＣセンサに登録されたＩＰアドレスを管理する管理センターからＩＰアドレスを取得してもよく、また、ＩＣセンサを送信する電波からＩＰアドレスを取得してもよい。
【００２３】
また、位置情報取得システム５０にＧＰＳ機能やＧＩＳ機能を付加してもよく、この場
合送信部５０３が不要となる。
【００２４】
次に、本発明に係るシステムの応用例について図５乃至図１４を参照して説明する。
＜第２態様＞
図５は、本発明に係るシステムを、事故や災害などの通報システムに応用した場合の例を示す図である。
このシステムは、少なくとも一つの端末Ｔと、複数のセンサＳと、管理センタＣとを含んで構成され、事故や災害などの発生を知らせる情報を、端末ＴからセンサＳを介して管理センタＣに送信するものである。
【００２５】
［端末Ｔ］
端末Ｔは、当該端末Ｔの近傍に位置するセンサＳに割り当てられたＩＰアドレスを取得すると共に、取得したＩＰアドレスを用いて、事故や災害などの発生場所を知らせる情報（通報情報）を生成し、生成した通報情報をセンサＳを介して管理センタＣに送信するものである。
図６（ａ）および（ｂ）に示すように、端末Ｔは、送受信部６０１と、制御部６０２と、記憶部６０３と、表示部６０４と、入力部６０５とを含んで構成される。
【００２６】
送受信部６０４は、センサＳとの間で情報のやりとりをするものである。
具体的に説明すると、送受信部６０４は、後記するアドレス要求信号の送信や、通報情報のセンサＳへの送信を行うと共に、アドレス要求信号を受信したセンサＳから送信されたＩＰ情報の受信、そして、受信したＩＰ情報の制御部６３への出力を行うものである。
【００２７】
制御部６０２は、記憶部６０３に記憶されているプログラムに従って、この端末Ｔにおける所定の処理を行うものである。
すなわち、制御部６０２は、後記する情報項目の表示部６０４への表示、端末Ｔの近傍に位置するセンサＳのＩＰアドレスの取得、通報情報の生成、そして生成した通報情報のセンサＳを介した管理センタＣへの送信などの処理を行うものである。
【００２８】
具体的に説明をすると、制御部６０２は、あらかじめ決められた情報項目を表示部６０４に表示させるためのデータ（表示用データ）を、記憶部６０３にあらかじめ記憶された情報を参照して生成し、これを表示部６０４に出力する。これにより、表示部６０４では、表示用データに基づいて、図６（ｂ）に示すような内容の情報項目が表示され、端末Ｔのユーザなどは、表示部６０４に表示された情報項目を選択することになる。
ここで、記憶部６０３にあらかじめ記憶された情報とは、表示部６０４に表示させる情報項目として、どのような情報項目を表示するのかを示す情報や、これら情報を表示部６０４上において、どのように表示するのかを示す情報をいう。
【００２９】
また、制御部６０２は、端末Ｔの近傍に位置するセンサＳのＩＰアドレスを取得するために、センサＳに割り当てられたＩＰアドレスを示す情報（ＩＰ情報）の送信を要求する信号（アドレス要求信号）を生成し、生成したアドレス要求信号を送受信部６０１に出力する。これにより、アドレス要求信号は送受信部６０１から送信され、端末Ｔの近傍に位置するセンサＳにおいて受信されることになる。
【００３０】
さらに、制御部６０３は、端末Ｔの近傍のセンサＳから送信されたＩＰ情報に含まれるＩＰアドレスと、ユーザが選択した情報項目とを少なくとも含む通報情報を生成し、これに通報情報の送信先である管理センタＣのアドレスを示す情報（アドレス情報）を付加した上で、送受信部６０１に出力する。ここで、通報情報には、前記した入力部６０５を介して入力された付加情報や端末Ｔに割り当てられた固有の識別番号（端末ＩＤ）を必要に応じて包含させることができるように構成される。
【００３１】
記憶部６０３は、制御部６０２が行う処理のプログラム、端末Ｔに固有の識別番号（端末ＩＤ）などを記憶するものである。
【００３２】
表示部６０４は、端末Ｔから管理センタＣに送信される通報情報の情報項目を表示するものである。
本実施の形態の場合、図６（ｂ）に示すように、端末Ｔの表示部６０４には、制御部から入力された表示用データに基づいて、「車両事故」、「火災事故」、「電車事故」、そして「災害・異常」などの情報項目が表示される。
【００３３】
入力部６０５は、表示部６０４に表示された情報項目の選択、付加情報の入力、そして通報情報の送信をするものである。
この入力部６０５には、表示部６０４に表示されたカーソルを移動させるカーソル移動キー６０５ａと、カーソルにより特定される情報項目を選択するための選択ボタン６０５ｂと、必要に応じて通報情報に付加される付加情報を入力するための複数の入力ボタン６０５ｃとを少なくとも含んで構成される。
【００３４】
ここで、図５に示す態様の場合の、端末Ｔにおける具体的な処理動作を説明する。
この図５に示す態様の場合、、車両Ｖに搭載されている機器や、車両Ｖの乗員が所持する携帯端末が、端末Ｔとして挙げられるが、以下においては、端末Ｔが、衝突事故を起こした車両の運転者が有する携帯端末である場合を例にして説明する。
【００３５】
事故を起こした車両Ｖの乗員が、図６（ｂ）に示すような表示画面において「車両事故」という情報項目を選択すると、端末Ｔの制御部６０２においてアドレス要求信号が生成され、生成されたアドレス要求信号は、送受信部６０１を介して送信される。
すると、端末Ｔの近傍に位置するセンサＳ（図５ではセンサＳａ）がアドレス要求信号を受信し、当該センサＳａに割り当てられたＩＰアドレスを示す情報（ＩＰ情報）を生成する。そして、生成されたＩＰ情報は端末Ｔに送信される。
続いて、センサＳａから送信されたＩＰ情報が送受信部６０１において受信されると、制御部６０２が、受信したＩＰ情報に含まれるＩＰアドレスと、ユーザによる入力部６０５の操作により選択された情報項目とを少なくとも含む通報情報を生成し、生成した通報情報に管理センタＣのアドレスを示す情報（アドレス情報）を付加した上で、送受信部６０４を介してセンサＳａに送信される。
これにより、通報情報は、複数のセンサＣにより構成されたネットワーク（センサネットワーク）ＳＮを介して、管理センタＣに送信されることになる。
ここで、情報項目が「車両事故」であり、端末Ｔの近傍に位置するセンサＳａのＩＰアドレスが前記した態様のＩＰアドレス、例えば「Ｔ１３８Ｍ２０Ｓ３４Ｎ４５Ｍ１８」である場合、通報情報には、これらの情報が含まれることになる。
【００３６】
［センサＳ］
センサＳは所定間隔をあけて複数設けられており、複数のセンサＳからネットワーク（センサネットワーク）ＳＮを構成している。
センサＳは、当該センサＳの近傍に位置する端末Ｔから送信されたアドレス要求信号を受信すると、当該センサＳに割り当てられたＩＰアドレスを示す情報（ＩＰ情報）を生成し、生成したＩＰ情報を、アドレス要求信号を送信した端末Ｔに送信するものである。
また、センサＳは、端末Ｔから送信された通報情報を受信すると、センサネットワークＳＮを構成する他のセンサＳなどに通報情報を送信して、通報情報の管理センタＣへの送信を中継するものである。
例えば、本実施の形態の場合、このセンサＳは、道路上に設置された電信柱などの各々に設けられているが、センサＳは、電信柱のみならず、樹木、住宅、そして自動販売機などに設けても良い。
【００３７】
図７に示すように、センサＳは、送受信部７０１と、制御部７０２と、記憶部７０３とを少なくとも含んで構成される。
【００３８】
送受信部７０１は、端末Ｔから送信されたアドレス要求信号や通報情報を受信して、制御部７０３に出力すると共に、制御部７０２から出力されたＩＰ情報と通報情報とを、それぞれ、端末Ｔと管理センタＣとに送信するものである。
【００３９】
制御部７０２は、記憶部７０３に記憶されているプログラムに従って、このセンサＳにおける所定の処理を行うものである。
本実施の形態の場合、端末Ｔから送信されたアドレス要求信号が送受信部７０１を介して入力されると、制御部７０２は記憶部７０３を参照して、センサＳに割り当てられたＩＰアドレスを確認し、センサＳに割り当てられたＩＰアドレスを示す情報（ＩＰ情報）を生成し、これを送受信部７０１に出力する。
また、制御部７０２は、端末Ｔから送信された通報情報が入力されると、この通報情報に付加されたアドレス情報（通報情報の送信先の管理センタＣのアドレスを示す情報）を確認し、通報情報を送受信部７０１に出力する。これにより通報情報は、通報情報は送受信部７０１から送信され、アドレス情報により特定される管理センタＣへ向けて送信される。すなわち、センサＳは、通報情報の管理センタＣへの送信を中継する役割を果たす。
【００４０】
さらに、管理センタＣからアドレス更新信号が入力されると、当該アドレス更新信号に含まれる情報に含まれているＩＰアドレスに、記憶部７０３に記憶されているＩＰアドレスを更新する。
また、管理センタＣから位置情報要求信号が入力されると、センサＳは図示しない位置情報取得部（例えば、ＧＰＳ受信機）により当該センサが設置されている場所を特定するための位置情報を生成し、これを送受信部７０１を介して管理センタＣに送信する。これにより、管理センタＣでは、送信された位置情報に基づいて、センサＳのＩＰアドレスが生成され、必要に応じて、生成されたＩＰアドレスの内容にセンサＳの記憶部７０３に記憶されているＩＰアドレスを更新することを要求する信号（アドレス更新信号）が管理センタＣから当該センサＳに送信されることになる。
【００４１】
記憶部７０３は、制御部７０２が行う処理のプログラム、この記憶部７０３が設けられたセンサＳに割り当てられた固有の識別子であるＩＰアドレスなどを記憶するものである。
【００４２】
［管理センタＣ］
管理センタＣは、複数のセンサＳからなるセンサネットワークＳＮを介して通報情報を受信すると共に、通報情報の情報項目ごとにあらかじめ設定された処理を行うものである。例えば、管理センタは、連絡情報を生成し、これを関係機関に送信する。
【００４３】
図８に示すように、本実施形態における管理センタＣは、送受信部８０１と、制御部８０２と、記憶部８０３とを含んで構成される。
【００４４】
送受信部８０１は、端末Ｔから送信された通報情報を、センサネットワークＳＮを介して受信して、受信した通報情報を制御部８０２の通報情報処理手段８０２ａへ出力すると共に、後記する連絡情報生成手段８０２ｃにおいて生成された情報（連絡情報）を送信するものである。
なお、本実施の形態では、前記したアドレス更新信号や位置情報要求信号などを、この送受信部８０１から必要に応じて送信する構成としても良い。
【００４５】
制御部８０２は、記憶部８０３に記憶されているプログラムに従って、この管理センタＣにおける所定の処理を行うものであり、通報情報処理手段８０２ａと、表示用データ生成手段８０２ｂと、連絡情報生成手段８０２ｃとを含んで構成される。
【００４６】
通報情報処理手段８０２ａは、送受信部８０１から入力された通報情報からＩＰアドレスを取得すると共に、ＩＰアドレスにより特定される位置を示すデータ（位置データ）を生成する。
そして、通報情報処理部８０２ａは、生成された位置データと通報情報に含まれる情報項目を示すデータとを、記憶部８０３の、通報情報テーブル８０３ａに記憶する。これにより、通報情報テーブル８０３ａには、情報項目を示すデータとこの情報項目により現される事象が発生している位置とが関連づけられて記憶される。
例えば、端末Ｔから送信された情報項目が「車両事故」である場合、この車両事故がどこで発生しているのかを示す位置情報と共に、情報項目は通報情報テーブル８０３ａに記憶されることになる。
そして、通報情報処理手段８０２ａは、位置データと情報項目とを表示用データ生成手段８０２ｂに出力する。
【００４７】
表示用データ生成手段８０２ｂは、通報情報処理手段８０２ａから位置データと情報項目を示すデータとが入力されると、位置データと情報項目に基づいて、表示装置３０に表示させるデータ（表示用データ）を生成し、生成した表示用データを表示装置３０に出力する。これにより、表示装置３０において、端末Ｔから送信された通報情報が少なくとも位置と関連づけられて表示されることになる。
【００４８】
なお、表示用データ生成手段８０２ｂにおいて生成される表示用データは、地図データなどの付加的な情報を含んで構成されていても良い。
たとえば、地図データが含まれる場合、表示用データ生成手段８０２ｂは、表示用データの生成に先立って位置データにより特定される位置の近辺に関する地図データを記憶部８０３から取得することで、地図データを表示用データに含ませることができる。そして、その結果、表示装置３０では、通報情報を地図上に重畳させて表示することができる。
【００４９】
連絡情報生成手段８０２ｃは、入力装置４０からの入力に応じて情報を生成し、指定された場所に指定された情報を送信する処理を行うものである。
例えば、後記する表示装置３０に表示された情報項目（例えば、事故情報）を参照したオペレータなどが、当該事故情報とこれに関連する情報を警察署に送信する命令（送信命令）を入力装置４０を介して入力すると、制御部８０２の連絡情報生成手段８０２ｃは、送信命令に基づいて記憶部８０３の通常情報テーブルを参照して、事故が起こっている場所の位置情報などの必要な情報（連絡情報）を生成する。
そして、連絡情報生成手段８０２ｃは、送信命令により特定される情報の送信先（例えば、警察署）を特定するためのアドレス情報を生成し、これを連絡情報に付加した上で、送受信部８０１に出力する。
これにより、指定された場所（警察署）に指定された情報（連絡情報）が送信されることになる。
【００５０】
なお、連絡情報の送信は、制御部８０２に入力される情報項目に応じて、自動的に行われるように構成しておいても良い。この場合、どのような情報をどこに送信するのかを情報項目ごとにあらかじめ決めておき、この取り決めを規定するテーブルを記憶部８０３に記憶しておくことで、連絡情報生成手段８０２ｃは、入力された情報項目に基づき、このテーブルを参照することで、前記した連絡情報の生成と送信を自動的に行うことが可能となる。
【００５１】
なお、本実施形態では、端末Ｔが、当該端末の近傍に位置するセンサのＩＰアドレスを当該端末Ｔの位置を示す情報として用いたが、本発明はこれに限定されるものではない。
たとえば、端末Ｔ自身がＧＰＳ機能を有する位置情報取得部を有している場合には、この位置情報取得部で取得した位置情報を、端末Ｔの位置を示す情報として用いても良い。
さらに、端末Ｔの表示部６０４に表示される情報項目も前記したものに限定されるものではなく、適宜変更することが可能である。また、情報項目の選択方法も、従来公知の種々の方法が利用可能である。
また、連絡情報生成手段８０２ｃにおいて生成される連絡情報の送信先も、前記した態様に限定されるものではなく、消防署、病院、警備会社など、あらかじめ規定される情報項目に応じて種々設定可能である。
【００５２】
さらに、図５に示す態様の場合、端末が、事故などに遭遇した人が所持する携帯型端末である場合を例に挙げて説明をしたが、地滑り、土砂崩れ、そして川の水位などを自動的に検知するセンサを、前記した端末として用いてもよい。
この場合、無人状態で、災害などの通報システムを構築することが可能となる。
【００５３】
＜第３態様＞
図９は、本発明に係るシステムを、監視対象物の監視及び追跡に応用した場合の例を示す図である。
この態様のシステムは、監視対象物Ｏに設けられた監視用端末Ｔ１と、複数のセンサＳと、管理センタＣを含んで構成される。このシステムでは、監視対象物Ｏが移動させられた場合に、監視対象物Ｏの移動を知らせる情報と、監視対象物Ｏの現在位置を知らせる情報とが、監視用端末Ｔ１端末から複数のセンサＳから構成されるセンサネットワークＳＮを介して管理センタＣに送信される。
【００５４】
［端末Ｔ１］
監視用端末Ｔ１（以下、単に端末Ｔ１という）は、端末Ｔ１が設置された監視対象物Ｏの移動の有無を確認すると共に、監視対象物Ｏが移動している場合に、監視対象物Ｏの位置を示す情報を生成し、これを管理センタＣに送信するものである。
図１０に示すように、端末Ｔ１は、送受信部９０１と、制御部９０２と、記憶部９０３と、位置情報取得部９０４とを含んで構成される。
【００５５】
位置情報取得部９０４は、第一の所定時間間隔ごとに、端末Ｔ１の現在位置を示す情報（位置情報）を生成し、これを制御部９０２に出力するものである。
具体的に説明すると、位置情報取得部９０４は、第一の所定時間間隔ごとに、図示しないアンテナを介して衛星からの電波を受信して、監視対象物Ｏの位置情報を生成し、生成した位置情報を制御部９０２の移動判定手段９０２ａに出力する。よって、従来公知のＧＰＳ受信機が、この位置情報取得部９０４に相当する。
また、位置情報取得部９０４は、後記する制御部９０２から、端末の移動履歴を記録することを命じる信号（移動履歴取得命令）が入力されると、第二の所定時間間隔ごとに、端末Ｔ１の現在位置を示す情報（位置情報）を生成し、これを制御部９０２の移動履歴生成手段９０２ｂに出力するものである。
ここで、第二の所定時間間隔は、詳細な移動履歴を生成するために、前記した第一の所定時間間隔よりも短く設定されている。
【００５６】
制御部９０２は、記憶部６０３に記憶されているプログラムに従って、この端末Ｔにおける所定の処理を行うものであり、移動判定手段９０２ａと、移動履歴生成手段９０２ｂとを含んで構成される。
【００５７】
移動判手段９０２ａは、端末Ｔ１が設けられた監視対象物Ｏの移動の有無を確認するものである。
移動判定手段９０２ａは、位置情報取得部９０４において第一の所定時間間隔ごとに生成された位置情報が、位置情報取得部９０４から入力されると、記憶部９０３を参照し、記憶部９０３に記憶されている当該端末Ｔ１の設置位置を示す情報（設置位置情報）を取得する。
そして、移動判定手段９０２ａは、位置情報により特定される位置と設置位置情報により特定される位置とが一致するか否かを確認する。
具体的に説明すると、移動判定手段９０２ａは、位置情報により特定される位置と設置位置情報により特定される位置との差が所定の閾値以上である場合、端末Ｔ１（監視対象物Ｏ）が移動していると判断し、位置情報を、端末Ｔ１が設けられた監視対象物Ｏの現在位置を示す情報（現在位置情報）として記憶手段９０３に記憶するとともに、端末Ｔ１の移動履歴を記録することを命じる信号（移動履歴取得命令）を、位置情報取得部９０４に出力する。
【００５８】
移動履歴生成手段９０２ｂは、位置情報取得部９０４において第二の所定時間間隔ごとに生成された位置情報が、位置情報取得部９０４から入力されると、この位置情報を当該位置情報が入力された時刻と共に、記憶部９０３に記憶する。
そして、移動履歴生成手段９０２ｂは、現在入力された位置情報Ｐｔにより特定される位置と、当該位置情報か入力される直前の位置情報Ｐｔ−１により特定される位置との差分を示すデータ（差分データ）を生成する。
ついで、移動履歴生成手段９０２ｂは、記憶部９０３を参照して、端末Ｔ１に割り当てられたＩＰアドレスを取得し、このＩＰアドレスと差分データとを含む情報（移動情報）を生成し、生成した移動情報を送受信部９０１に出力する。これにより、移動情報は送受信部９０１を介して情報処理センタＣに出力される。
【００５９】
よって、移動情報を受信した情報処理センタＣ側では、移動情報に基づいて端末Ｔ１を備えた監視対象物Ｏの現在位置と移動経路を知ることができる。
従って、監視対象物Ｏが現金自動預払機（ＡＴＭ）である場合、盗まれたＡＴＭの位置を知ることができ、警察などの関係機関に、これらの情報が連絡情報として管理センタＣから提供されることになる。
尚、本実施の形態では、移動情報の生成に差分データを用いているが、この差分データの代わりに、前記した現在位置情報を用いて移動情報を生成しても良い。
また、端末Ｔ１を備えた監視対象物Ｏを特定するための識別子として、端末ごとに設けられた端末ＩＤを用い、これを移動情報に包含させることで、端末Ｔ１（監視対象物Ｏ）の特定を行うようにしても良い。
【００６０】
また、この態様における端末Ｔ１の送受信部９０１や記憶部９０３の役割は、前記した第２態様における端末Ｔの送受信部６０１や記憶部６０３と実質的に同じであるので、ここでは、その説明を省略する。
【００６１】
＜第４態様＞
図１１は、本発明に係るシステムを、屋外設備の秘密管理された保守記録の検索に応用した場合の例を示す図である。
このシステムは、端末Ｔ２と、複数のセンサＳとを含んで構成され、端末Ｔ２がセンサＳに近づいた場合に、当該センサＳの設置位置を示す情報を端末Ｔ２に送信するものである。
このシステムでは、端末Ｔ２は、屋外設備の秘密管理された保守記録を探すために、保守作業員Ｍが使用するものであり、例えば屋外設備が鉄塔である場合、この鉄塔保守記録は、盗難防止の観点から、地中に埋没させた状態で隠されている。
【００６２】
［端末Ｔ２］
携帯用端末Ｔ２（以下、単に端末Ｔ２という）は、端末Ｔ２の近傍に位置するセンサＳの位置を、確認するものである。
図１２に示すように、端末Ｔ２は、送受信部１００１と、制御部１００２と、記憶部１００３と、表示部１００４と、入力部１００５とを含んで構成される。
【００６３】
送受信部１００１は、後記する制御部１００２の検索信号生成手段１００２ａから入力された検索信号の送信、センサＳから送信された位置情報の受信、受信した位置情報の制御部１００２の表示データ生成部１００２ｂへの出力を主として行うものである。
【００６４】
制御部１００２は、記憶部１００３に記憶されているプログラムに従って、この端末Ｔ２における所定の処理を行うものであり、検索信号生成手段１００２ａと、表示用データ生成手段１００２ｂとを含んで構成される。
【００６５】
検索信号生成手段１００２ａは、端末Ｔ２の近傍に存在するセンサＳを検索するものである。
具体的に説明をすると、検索信号生成手段１００２ａは、センサＳの検索を要求する入力が、入力部１００５を介して入力されると、センサＳに対し当該センサＳの位置を示す情報（位置情報）の送信を要求する信号（検索信号）を生成し、送受信部１００１に出力する。
【００６６】
表示用データ生成手段１００２ｂは、検索信号を受信したセンサＳから送信された位置情報が入力されると、当該位置情報に含まれるＩＰアドレスを取得し、位置情報を送信したセンサの位置を示すデータ（位置データ）を生成する。
そして、表示用データ生成手段１００２ｂは、生成した位置データに基づいて記憶部１００３を参照し、端末Ｔ２の現在位置を基準として、所定の範囲の領域の地図データを取得する。
【００６７】
次いで、表示用データ生成手段１００２ｂは、取得した地図データにより現される地図上にセンサの位置を重畳表示させるためのデータ（表示用データ）を生成し、これを表示部１００４に出力する。これにより、表示部において表示された端末Ｔ２の近傍を示す地図上に、センサＳが重畳表示され、センサＳの位置が地図上で特定されることになる。
【００６８】
記憶部１００３は、制御部１００２が行う処理のプログラム、端末Ｔ２に固有の識別番号（端末ＩＤ）などを記憶するものである。
【００６９】
表示部１００４は、端末Ｔ２の操作に必要なインターフェースや、端末Ｔ２の近傍領域の地図を表示するものである。
【００７０】
入力部６０５は、表示部６０４に表示された情報項目の選択や、所定の処理の命令を入力するものである。
【００７１】
［センサＳ２］
センサＳ２は、端末Ｔ２から送信された検索信号を受信した場合に、当該検索信号を送信した端末Ｔ２に向けて、センサＳ２の設置位置を示す情報（位置情報）を送信するものである。
【００７２】
図１２（ｂ）に示すように、センサＳ２は、送受信部１１０１と、制御部１１０２と、記憶部１１０３と、起動制御部１１０４とを少なくとも含んで構成される。
【００７３】
送受信部１１０１は、端末Ｔ２から送信された検索信号を受信して、起動制御部１１０４に出力すると共に、起動制御部１１０４への出力の後、所定時間をおいて、検索信号を制御部１１０２に出力するものである。
また、送受信部１１０１は、制御部１１０２から入力された位置情報を端末Ｔ２に送信するものである。
【００７４】
制御部１１０２は、記憶部に記憶されているプログラムに従って、このセンサＳ２における所定の処理を行うものである。
本実施の形態の場合、端末Ｔ２から送信された検索信号が送受信部１１０１を介して入力されると、制御部１１０２は記憶部１１０３を参照して、センサＳ２の設置位置を示す情報（位置情報）を生成し、これを送受信部１１０１に出力する。
ここで、本実施の形態の場合、センサＳ２にはセンサＳ２の設置位置に密接に関連するＩＰアドレスが割り当てられているので、制御部１１０２は、記憶部１１０３を参照してセンサＳ２に割り当てられたＩＰアドレスを確認し、このＩＰアドレスを含む位置情報を生成することになる。
なお、位置情報生成したセンサＳ２を端末Ｔ２側で識別可能にするために、位置情報には、センサＳ２を特定するための識別子（センサ識別子）が含まれていても良い。
【００７５】
記憶部１１０３は、制御部１１０２が行う処理のプログラム、この記憶部１１０３が設けられたセンサＳ２に割り当てられた固有の識別子であるＩＰアドレスや、このセンサＳ２を識別するためのセンサ識別子などを記憶するものである。また、記憶部１１０３は、必要に応じて、センサＳ２の保守記録などを記憶するものである。
【００７６】
起動制御部１１０４は、送受信部１１０１から起動信号が入力されると、制御部１１０２と、記憶部１１０３とを、それぞれ待機状態から起動状態にすることを命令する信号（起動命令）を生成し、これを制御部１１０２と、記憶部１１０３とに、それぞれ出力する。
また、起動制御部１１０４は、送受信部１１０１を介した情報の送受信や、制御部における所定の処理が、所定時間以上行われない場合に、制御部１１０２と、記憶部１１０３とを、それぞれ起動状態から待機状態にすることを命令する信号（待機命令）を生成し、これを制御部１１０２と、記憶部１１０３とに、それぞれ出力する。
これにより、少なくとも制御部１１０２と記憶部１１０３とが、使用されない場合に起動状態から待機状態にされるので、センサＳ２における電力消費を抑えることができる。
【００７７】
＜第５態様＞
図１３は、本発明に係るシステムを、事故や危険情報などの通報システムに応用した場合の例を示す図である。
この態様のシステムは、端末Ｔ３と、複数のセンサＳと、管理センタＣとを含んで構成され、端末Ｔ３が設置された場所における事故の発生や、事故の危険性を知らせる情報を管理センタＣに送信するものである。
【００７８】
［端末Ｔ３］
異常検知用端末Ｔ３（以下、単に端末Ｔ３という）は、端末Ｔ３が設置された場所における事故の危険性や事故の発生を検査し、事故の危険性や事故の発生が認められた場合に、そのことを示す情報を生成し、センサＳを介して管理センタＣに送信するものである。
図１４に示すように、端末Ｔ３は、送受信部１２０１と、制御部１２０２と、記憶部１２０３と、検知部１２０４と、警告部１２０５とを含んで構成される。
【００７９】
送受信部１２０１は、後記する制御部１２０２の異常検知手段１２０２ａから入力される事故情報の送信、端末Ｔ３の近傍に位置するセンサＳとの間で情報のやりとりを行うものである。
【００８０】
制御部１２０２は、記憶部１２０３に記憶されているプログラムに従って、この端末Ｔ３における所定の処理を行うものであり、異常検知手段１２０２ａを含んで構成される。
【００８１】
異常検知手段１２０２ａは、端末Ｔ３が設置された場所における事故の危険性や事故の発生を検査し、事故の危険性や事故の発生が確認された場合に、そのことを示す情報（事故情報）を生成し、事故情報を送受信部１２０１に送信するものである。
具体的に説明をすると、異常検知手段１２０２ａは、検知部１２０４から測定データが入力されると、測定データにより示される各種パラメータの値が、あらかじめ決められた許容範囲内にあるか否かを検査する。
【００８２】
そして、許容範囲内にある場合、異常検知手段１２０２ａは、各種パラメータの値を記憶部１２０３の測定記録テーブル（図示せず）に記憶させる。これにより端末Ｔ３が設置される場所における各種パラメータの値の履歴が生成される。
【００８３】
一方、許容範囲外である場合、異常検知手段１２０２ａは、許容範囲外にあるパラメータの値と、記憶部１２０３に記憶された端末Ｔ３に割り当てられた固有の識別子とを含む事故情報を生成し、これに事故情報の送信先である管理センタＣを特定するアドレス情報を付加して、送受信部１２０１に出力する。これにより、事項情報は管理センタＣに送信されて、事故の危険性や事故の発生が通知されると共に、必要に応じて、関係機関に連絡情報が管理センタＣから送信されることになる。
【００８４】
さらに異常検知手段１２０２ａは、後記する警報部１２０５から警報音などを発信させることを要求する信号（警報要求命令）を生成し、生成した警報要求命令を警報部１２０５に出力する。
なお、測定データにより示される各種パラメータの値が、あらかじめ決められた許容範囲外である場合もまた、異常検知手段１２０２ａは、各種パラメータの値を、記憶部１２０３の測定記録テーブル（図示せず）に記憶する。
【００８５】
ここで、端末Ｔ３が家庭内に設置されており、室内の一酸化炭素濃度がパラメータの一項目である場合を例に挙げて説明をすると、室内の一酸化炭素濃度を示すデータが、検知部１２０４から異常検知手段１２０２ａに入力されることになる。
この場合、異常検知手段１２０２ａでは、一酸化炭素濃度を示すデータにより示される一酸化炭素濃度と、あらかじめ設定された閾値（閾値により規定される一酸化炭素濃度）とを比較し、一酸化炭素濃度が閾値よりも高い場合、事故の危険性があると判断し、事故情報が生成されることになる。この場合、この事故情報には、測定された一酸化炭素の濃度を示すデータが付加されていることが好ましい。
【００８６】
記憶部１２０３は、制御部１２０２が行う処理のプログラム、端末Ｔ３に固有の識別番号（端末ＩＤ、ＩＰアドレス）、そして、検知部１２０４から入力された各種パラメータの値などを記憶するものである。
ここで、検知部１２０４から入力さる各種パラメータは、記憶部１２０２内に設けられた測定記録テーブル（図示せず）に記録されている。
【００８７】
検知部１２０４、端末Ｔ３が設置された住宅内における各種パラメータの値を測定するためのセンサであり、例えば、パラメータの項目が「一酸化炭素」である場合は、この一酸化炭素の濃度を測定するセンサが、ここでいう検知部１２０４に相当する。
検知部１２０４は、住宅内環境の測定を、あらかじめ決められたパラメータの項目に応じて、所定時間間隔ごとに行い、測定結果を制御部１２０２に出力する。
【００８８】
［警報部］
警報部１２０５は、異常検知手段１２０２ａから警報要求命令が入力されると、図示しないスピーカからの警報音の発信や、図示しない警告灯の点灯により、端末Ｔ３が設置された領域の近傍にいる人に、警告を発するものである。
【００８９】
この態様では、本発明に係るシステムを、住宅内における事故や危険性を示す情報の通報システムに応用した場合の例を挙げて説明をしたが、本発明はこれに限定されるものではない。
たとえば、図１５に示すような硫化水素ガスなどの有毒ガスが発生する場所に、前記した端末Ｔ３と同様の構成を有する端末Ｔ４を設置した場合は、屋外における事故の発生や事故の危険性を通報することのできるシステムを構築することができる。
【図面の簡単な説明】
【００９０】
【図１】本発明のＩＰアドレスの登録方法を適用するＩＣセンサが配置された防犯システムの構成を示す図である。
【図２】本発明の実施の形態に係るＩＰアドレスを登録する登録システムの構成を示すブロック図である。
【図３】図２の登録システムの動作のフローチャートを示す図である。
【図４】本発明の実施の形態に係る位置情報取得システムの構成の概略を示すブロック図である。
【図５】本発明に係るシステムの第２態様の構成を説明する説明図である。
【図６】（ａ）は、本発明に係るシステムの第２態様における端末の構成を示すブロック図である。  （ｂ）は、本発明に係るシステムの第２態様における端末を説明する説明図である。
【図７】本発明に係るシステムの第２態様におけるセンサの構成を示すブロック図である。
【図８】本発明に係るシステムの第２態様における管理センタの構成を示すブロック図である。
【図９】本発明に係るシステムの第３態様の構成を説明する説明図である。
【図１０】本発明に係るシステムの第３態様における端末の構成を示すブロック図である。
【図１１】本発明に係るシステムの第４態様の構成を説明する説明図である。
【図１２】（ａ）は、本発明に係るシステムの第４態様における端末の構成を示すブロック図である。  （ｂ）は、本発明に係るシステムの第４態様におけるセンサの構成を示すブロック図である。
【図１３】本発明に係るシステムの第５態様の構成を説明する説明図である。
【図１４】本発明に係るシステムの第５態様における端末の構成を示すブロック図である。
【図１５】本発明に係るシステムの応用例を示す図である。
【符号の説明】
【００９１】
１    コンピュータ
３a〜３c、４a〜４d、５a〜５f  ＩＣセンサ
１０  ＧＰＳ
２０  登録システム
３０  入力部
４０  表示部
２０１  ＧＰＳ受信部
２０２  ＩＰアドレス形成部
２０３  ＩＰアドレス登録部
２０４  表示部
２０５、５０４  ＣＰＵ
２０６、５０５  ＲＯＭ
５０  位置情報取得システム
５０１  ＩＰアドレス取得部
５０２  位置情報取得部
５０３  送信部
６０１、８０１、９０１、１００１、１２０１  送受信部
６０２、８０２、９０２、１００２、１２０２  制御部
６０３、８０３、９０３、１００３、１２０３  記憶部
Ｔ、Ｔ１、Ｔ２、Ｔ３  端末
Ｓ、Ｓ１  センサ
Ｃ  管理センタ
【図１】
2006325187.tif 000003
【図２】
2006325187.tif 000004
【図３】
2006325187.tif 000005
【図４】
2006325187.tif 000006
【図５】
2006325187.tif 000007
【図６】
2006325187.tif 000008
【図７】
2006325187.tif 000009
【図８】
2006325187.tif 000010
【図９】
2006325187.tif 000011
【図１０】
2006325187.tif 000012
【図１１】
2006325187.tif 000013
【図１２】
2006325187.tif 000014
【図１３】
2006325187.tif 000015
【図１４】
2006325187.tif 000016
【図１５】
2006325187.tif 000017